(57)【要約】【課題】多数の液晶セルに付着した余分な液晶を、速やかに一括して拭き取る液晶セルの拭き取り方法および液晶拭き取り装置を提供する。【解決手段】所定の間隔を持って略平行に配列された多数枚の押入板４３０と、各押入板４３０の間隙と多数枚の液晶セル１０とが、拭き取りシート４９０を挟んで対向するように液晶セルを保持する液晶セルの保持手段４２６と、各液晶セル１０の間隙に、各押入板４３０を拭き取りシート４９０とともに所定深さまで順次押し入れる押入手段とを設ける。また、その押入手段として、押入板４３０を液晶セル１０側へ移動させる押入カム４４０と、押入カム４４０を移動方向にガイドする押入カム軸４５２と、押入カム４４０を押入カム軸４５２に沿って移動させる押入カム駆動手段４６０とを設ける。【選択図】　　　　図１
2004020967.tif 000002
【特許請求の範囲】
【請求項１】
一対の透明基板をスペーサを介して対向させ、両透明基板の外周縁部にシールが施されている多数枚の液晶セルを並べて配置し、各液晶セルの外周縁部の一部に設けられた開口部から液晶を注入した後、該開口部周辺に付着した液晶を拭き取りシートで拭き取る液晶セルの液晶拭き取り方法であって、所定の間隔を持って略平行に配列された多数枚の液晶セルに対し、各液晶セル間隙内に挿入し得る拭き取りシートを位置決めし、
前記各液晶セルの間隙に、前記各拭き取りシートを順次挿入して行き、少なくとも前記開口部周辺にその拭き取りシートを密着させ、
前記液晶セルに付着した前記拭き取りシートを該液晶セルから離脱させる
ことを特徴とする液晶セルの液晶拭き取り方法。
【請求項２】
一対の透明基板をスペーサを介して対向させ、両透明基板の外周縁部をシールして形成される液晶セル内に、前記外周縁部の一部に設けられた開口部から液晶を注入した後、該開口部周辺に付着した液晶を拭き取りシートで拭き取る液晶セルの液晶拭き取り装置であって、
所定の間隔を持って略平行に配列された多数枚の押入板と、
前記各押入板の間隙と多数枚の前記液晶セルとが、前記拭き取りシートを挟んで対向するように前記液晶セルを保持する液晶セルの保持手段と、
前記各液晶セルの間隙に、前記各押入板を前記拭き取りシートとともに所定深さまで順次押し入れる押入手段と
を有することを特徴とする液晶セルの液晶拭き取り装置。
【請求項３】
前記押入手段として、
前記押入板に当接し得る外周面を有し、該押入板を前記液晶セル側へ移動させる押入カムと、
前記押入板の配列方向に設けられ、前記押入カムを移動方向にガイドする押入カム軸と、
前記押入カムを前記押入カム軸に沿って移動させる押入カム駆動手段と
を有することを特徴とする請求項２記載の液晶セルの液晶拭き取り装置。
【請求項４】
前記押入カム移動手段として、
前記押入カム軸と略平行に設けられた直動部材軸と、
前記直動部材軸の回転手段と、
前記押入カムに連設され、かつ前記直動部材軸の回転によってその軸方向に直線動作し得る直動部材と
を有することを特徴とする請求項２または３記載の液晶セルの液晶拭き取り装置。
【請求項５】
前記押入板は、少なくとも大小異なる板厚を有し、板厚の大なる部分で互いに接して連設されることにより、板厚の小なる部分で前記所定の間隔を形成するものであることを特徴とする請求項２乃至４記載の液晶セルの液晶拭き取り装置。
【発明の詳細な説明】
【０００１】
【発明の属する技術分野】
本発明は、液晶セルへの液晶注入後、その開口部付近に付着した余分な液晶を拭き取る液晶セルの拭き取り方法および拭き取り装置に関するものである。
【０００２】
【従来の技術】
従来、液晶セルは、スペーサを挟んで一対の透明基板を対向配置させ、液晶注入のための開口部を残してその透明基板の外周縁部をシールすることによって液晶注入領域を形成し、その液晶注入領域内に真空注入法によって液晶を注入した後、開口部を封止することにより製造されている。
【０００３】
通常、液晶を注入する製造ラインでは、注入装置内に多数枚の液晶セルを搬入し、各液晶セルを昇降機構にセットし、注入装置内を真空状態とする。次に、昇降機構によって液晶セルを下降させ、その開口部を液晶浴に浸漬させる。この状態で注入装置内を大気圧に戻すと、真空引きされている液晶セルの各液晶注入領域内に液晶が充填される。次に、注入装置から取り出した液晶セルの開口部を封止剤で封止することによって液晶注入工程が終了する。
【０００４】
液晶注入直後には、その注入口付近（端面およびその周辺の透明基板面）に余分な液晶が付着している。この付着液晶は、透明基板面を汚損したり、封止のための次工程の治具等を汚損したりするため、拭き取っておく必要がある。従来その拭き取り作業は各液晶セル毎に手作業で行われるのが一般的であった。
【０００５】
なお、特開２０００−８９２３７号公報には、液晶注入後の多数の液晶セルを、一括して封止する装置が開示されているが、余分に付着した液晶の拭き取り方法あるいは拭き取り装置に関しては開示されていない。
【０００６】
【発明が解決しようとする課題】
液晶セルに液晶を注入した後は、汚損防止のため、余分な液晶を速やかに拭き取ることが拭き取り作業の効率向上に欠かせないが、従来の技術では、液晶セルに付着した余分な液晶を手作業で拭き取らねばならず、作業効率が悪いという問題があった。
【０００７】
本発明は、かかる事情に鑑み、多数の液晶セルに付着した余分な液晶を、速やかに一括して拭き取る液晶セルの拭き取り方法および液晶拭き取り装置を提供するものである。
【０００８】
【課題を解決するための手段】
請求項１の発明は、一対の透明基板をスペーサを介して対向させ、両透明基板の外周縁部にシールが施されている多数枚の液晶セルを並べて配置し、各液晶セルの外周縁部の一部に設けられた開口部から液晶を注入した後、該開口部周辺に付着した液晶を拭き取りシートで拭き取る液晶セルの液晶拭き取り方法であって、所定の間隔を持って略平行に配列された多数枚の液晶セルに対し、各液晶セル間隙内に挿入し得る拭き取りシートを位置決めし、前記各液晶セルの間隙に、前記各拭き取りシートを順次挿入して行き、少なくとも前記開口部周辺にその拭き取りシートを密着させ、前記液晶セルに付着した前記拭き取りシートを該液晶セルから離脱させることを特徴とする。
【０００９】
この発明によれば、保持された液晶セルの隙間に、押入板を前記拭き取りシートとともに押し入れるので、液晶セルの端面および透明基盤面に付着した余分な液晶を同時に拭き取ることができる。しかも押入板は、順次押し入れるので、拭き取りシートを押入れる際の抵抗は、全ての押入板を同時に押し入れる場合に比べて格段に小さくなる。そのため、液晶セルの損傷が防止されるとともに、拭き取りシートが、紙等の比較的強度の弱い材質であっても損傷することなく、順次液晶セルの液晶付着部に押し当てられ、液晶の拭き取り作業効率が向上する。
【００１０】
請求項２の発明は、一対の透明基板をスペーサを介して対向させ、両透明基板の外周縁部をシールして形成される液晶セル内に、前記外周縁部の一部に設けられた開口部から液晶を注入した後、該開口部周辺に付着した液晶を拭き取りシートで拭き取る液晶セルの液晶拭き取り装置であって、所定の間隔を持って略平行に配列された多数枚の押入板と、前記各押入板の間隙と多数枚の前記液晶セルとが、前記拭き取りシートを挟んで対向するように前記液晶セルを保持する液晶セルの保持手段と、前記各液晶セルの間隙に、前記各押入板を前記拭き取りシートとともに所定深さまで順次押し入れる押入手段とを有することを特徴とする。
【００１１】
請求項３の発明は、請求項２記載の液晶セルの液晶拭き取り装置において、前記押入手段として、前記押入板に当接し得る外周面を有し、該押入板を前記液晶セル側へ移動させる押入カムと、前記押入板の配列方向に設けられ、前記押入カムを移動方向にガイドする押入カム軸と、前記押入カムを前記押入カム軸に沿って移動させる押入カム駆動手段とを有することを特徴とする。
【００１２】
請求項４の発明は、請求項２または３記載の液晶セルの液晶拭き取り装置において、前記押入カム移動手段として、前記押入カム軸と略平行に設けられた直動部材軸と、前記直動部材軸の回転手段と、前記押入カムに連設され、かつ前記直動部材軸の回転によってその軸方向に直線動作し得る直動部材とを有することを特徴とする。
【００１３】
請求項５の発明は、請求項２乃至４記載の液晶セルの液晶拭き取り装置において、前記押入板は、少なくとも大小異なる板厚を有し、板厚の大なる部分で互いに接して連設されることにより、板厚の小なる部分で前記所定の間隔を形成するものであることを特徴とする。
【００１４】
請求項２乃至５の発明によれば、前記請求項１の発明による作用効果と同様の作用効果を得ることができる。更に、押入板を液晶セル側へ移動させる押入カムを設け、その押入カムの押入カム軸と略平行に設けられた直動部材軸に沿って直線運動する直動部材と連設すれば、回転しながら直線運動をする押入カムの機構を容易に実現することができる。
【００１５】
また、押入板を、少なくとも大小異なる板厚を有し、板厚の大なる部分で互いに接して連設されることにより、板厚の小なる部分での所定の間隔を形成するようにすれば、押入板を所定の間隔で配列する機構を特に設ける必要がなく、板厚の大なる部分で密着するように並べるだけで、板厚の小なる部分では所定の間隔を形成するので、簡単な機構とすることができる。
【００１６】
【発明の実施の形態】
本発明の実施形態を、図を参照して説明する。図１は、液晶セル拭き取り装置４００の正面図である。拭き取り装置本体４０１の最上部には、液晶固定台４１０が設けられ、液晶を吸着するシート状の拭き取りシート４９０を挟んで液晶セル１０を収納したカセット５０が設置されている。（カセット５０の内部断面を斜線で示す）。カセット５０は、多数の液晶セル１０を一括して搬送するための搬送治具であるが、液晶セル拭き取り装置４００は、このカセット５０に収納されている各液晶セル１０について余分な液晶を拭き取りシート４９０によって拭き取る構造となっている。
【００１７】
液晶セル拭き取り装置４００の詳細を説明する前に、まず液晶セル１０とカセット５０について説明する。図２は、１つの液晶セル１０の正面図である。本実施形態の液晶セル１０とは、複数の液晶セルが横に並べて配置され、最終的に切断される液晶セル部を示しており、従って、複数の液晶注入部を有する、横長のものとなっている。液晶セル１０は、一対の透明基板をスペーサを介して対向配置させ、その間に設けた外周縁部１６の内部に液晶２０を注入したものである。外周縁部１６の一部は開口しており、開口部１８となっている。液晶セル１０は図２のように開口部１８を下にして液晶浴に浸漬され、液晶２０が真空引きによって注入される。従って、液晶セル１０の下部は、余分な液晶が付着した液晶付着部１９（斜線で示す）となっている。
【００１８】
図３は、カセット５０の一部切り欠きを有する斜視図である。カセット５０は、二点鎖線で示す液晶セル１０を所定の間隔をもって略平行に配列して搬送するための搬送治具である。カセット外枠５２は、上下の開口した、略直方体の箱体で、上開口部の短辺にはカセットフランジ部５４が設けられている。カセット外枠５２の短辺内側には、液晶セル配列板５６が設けられている。液晶セル配列板５６には、コの字断面を有する多数枚のカセット溝６２が上下方向に設けられている。カセット溝６２は、液晶セル配列板５６の下端付近まで達している。隣接するカセット溝６２の間は、カセット溝仕切り６０となっている。図３には、対向するカセット溝６２をさし渡すように収められた液晶セル１０を１枚示すが、各溝に同様に液晶セル１０を収納し得る。液晶セル１０は、カセット５０内で、開口部１８が下向きになるように収納されている。
【００１９】
再び図１を参照して液晶セル拭き取り装置４００の説明を続ける。液晶固定台４１０の上部中央付近にカセット設置台４２８が設けられ、その上に拭き取りシート４９０を挟んでカセット５０が載置されている。カセット外枠５２の両外側にはカセット押え支柱４２０が設けられ、カセット押え支柱４２０の上部には、カセット外枠５２の上端を押えつつカセット５０の内部に張り出すカセット押え板４２２が設けられている。カセット押え板４２２は、カセット５０の着脱の際には取り外すことができる。カセット押え板４２２の、カセット５０内部に張り出した部分には、液晶セル押え調整ねじ４２４が設けられ、液晶セル押え調整ねじ４２４の先端には、液晶セル１０の上端を押える液晶セル押え４２６（液晶セル保持手段）が設けられている。液晶セル押え調整ねじ４２４のねじ調整によって液晶セル押え４２６の高さ位置が変動する。液晶固定台４１０の、液晶セル１０の下方に相当する箇所には、液晶固定台貫通孔４１５が設けられ、後述の押入板４３０が下方から液晶セル１０の方へ突出し得るようになっている。また、このとき液晶セル１０の間隙と押入板４３０の上部の薄板部とが、対向するような位置関係となっている。
【００２０】
拭き取り装置本体４０１の中段やや上方には、押入板設置台４１２が設けられている。押入板設置台４１２の、カセット５０の下方に相当する箇所には、多数の押入板４３０が、液晶セル１０と同方向に配列されている。押入板４３０は、上部に板厚の薄い部分を有する長方形の樹脂板である。（詳細は後述する）。押入板４３０の配列の両端は押入板保持具４１３によって保持されている。また、押入板設置台４１２の押入板４３０設置部には押入板設置台貫通孔４１５が設けられ、押入板４３０の下部はその押入板設置台貫通孔４１５から下方に突出している。
【００２１】
押入板設置台４１２の下方には、図１の左右方向に延びる押入カム軸４５２と直動部材軸４６２が設けられており、これらの軸を受ける右軸受板４１４と左軸受板４１６とが押入板設置台４１２に固定されている。押入カム軸４５２には、左から順にカムスリーブ４５０、直動連結部材４４８および押入カム４４０が挿通され、止め具４４６で止められている。押入カム４４０は、一部切り欠きを有する円板であるが、詳細は後述する。これらの部材は、一体となって押入カム軸４５２の軸上を移動し得る。また、押入カム４４０は、内部のキー、キー溝構造によって押入カム軸４５２に固定され、押入カム軸４５２の回転に連動して回転する。直動部材軸４６２には直動部材４６０が挿通されている。直動部材４６０は、内部にねじ送り機構を有し、直動部材軸４６２の回転に伴って直動部材軸４６２上を左右方向に移動する。直動連結部材４４８の一端は、直動部材４６０に固定されている。
【００２２】
拭き取り装置本体４０１の最下部には、減速機付の駆動モータ４７０が設けられており、駆動モータ軸４７２を介してモータ軸プーリ４７４が設けられている。また、押入カム軸４５２および直動部材軸４６２の左端には、カム軸プーリ４５４および直動部材軸プーリ４６４が設けられている。更に左軸受板４１６の左側にはテンションプーリ４６８が設けられている。これら４つのプーリには駆動ベルト４８０が掛けられており駆動モータ４７０の作動により同方向に回転する。テンションプーリ４６８は、その軸位置を微調整することにより、駆動ベルト４８０の張力を最適化することができる。
【００２３】
以上の構造において、直動部材４６０および直動部材軸４６２は押入カム移動手段として機能し、この押入カム移動手段と押入カム４４０および押入カム軸４５２は、押入手段として機能する。
【００２４】
次に、液晶セル拭き取り装置４００の動作について説明する。液晶セル１０の余分な液晶を拭き取るため、まず拭き取りシート４９０を、押入板４３０の上部に敷く。拭き取りシート４９０の大きさは、幅（図１の前後方向）が液晶付着部１９と略等しく、長さ（図１の左右方向）が液晶セル１０の配列の全長よりも隙間の入り込み量を考慮した分だけ長い物とする。次に、開口部１８を下に向けた多数の液晶セル１０を収納するカセット５０を、カセット設置台４２８上に載置する。その際、拭き取りシート４９０の左端はカセット設置台４２８とカセット外枠５２の間に挟んで固定端としておき、右端は自由端としておく。その後、カセット押え板４２２によってカセット外枠５２の上端を押え、カセット５０を液晶固定台４１０に固定する。更に液晶セル押え４２６と液晶セル押え調整ねじ４２４によって液晶セル１０の上端を押え、液晶セル１０が上方に移動しないように保持する。
【００２５】
液晶セル１０の保持後、駆動モータ４７０を作動させると、モータ軸プーリ４７４が図１の矢印Ａ方向に回転し、その駆動力は駆動ベルト４８０を介してカム軸プーリ４５４および直動部材軸プーリ４６４に伝達される。従って、押入カム軸４５２は図１の矢印Ｂ方向に、直動部材軸４６２は同図矢印Ｄ方向に回転する。直動部材軸４６２の回転に伴い、直動部材４６０は、回転することなく矢印Ｅ方向に移動する。そして、直動連結部材４４８を介して、カムスリーブ４５０および押入カム４４０も同様に矢印Ｃ方向に移動する。従って、押入カム４４０は、矢印Ｂ方向に回転しながら、矢印Ｃ方向に直線運動する。
【００２６】
押入カム４４０の作動により、押入板４３０は、図１の左方から順に所定量だけ押し上げられる。それに伴って、押入板４３０の上部薄板部が拭き取りシート４９０とともに各液晶セル１０の隙間に押し入れられる。（詳細は後述する）。こうして、押入カム４４０が右端まで移動することにより、全ての押入板４３０は上方に押し上げられ、拭き取りシート４９０の押入が完了する。押し入れられた拭き取りシート４９０は、液晶セル１０の下端面および透明基板面の液晶付着部１９に当接し、同時に余分な液晶を吸着する。
【００２７】
図４は、押入カム４４０の斜視図である。押入カム４４０は、一部切り欠きを有する円板状に形成されている。カムの切り欠き断面は押入カム面４４２となり、その外周円と交わる一方の辺（図４の奥側）が押入カム当接部４４４となっている。押入カム当接部４４４は、二点鎖線で示す押入板４３０を直接押し上げる部分である。押入カム４４０は、図４で矢印Ｂ方向に回転しながら矢印Ｃ方向に直線移動している。押入カム４４０の直線運動により、押入カム面４４２が押入板４３０の直下に入り込む。その後押入カム４４０の回転運動によって押入カム当接部４４４が上方へ移動し、押入板４３０を押し上げる。なお、押入カム４４０の前進ピッチ（１回転当たりの前進量）は押入板４３０の下部の板厚と等しくなるように調整されている。
【００２８】
図５は、押入板４３０の詳細形状を示す断面図である。この図では７枚の押入板４３０を示し、左方３枚の押入板４３０が押しあげられ、拭き取りシート４９０とともに液晶セル間隙間１１に押し入れられた状態を示す。押入板４３０の下部の板厚はｔ２で、各押入板４３０は、板厚ｔ２の部分で隣接して配列されている。上部の押入板薄板部４３２の板厚はｔ２よりも小さいｔ１となっている。従って、押入板薄板部間隔４３４はｔ２−ｔ１となっている。実際に液晶セル間隙間１１に入り込むのは押入板薄板部４３２なので、このような構造は、板厚ｔ１の押入板４３０を、押入板薄板間隔４３４を設けて配列するのと同等の機能を得ることができる。また、ｔ１は、液晶セル間隙間１１よりも拭き取りシート４９０の約２枚分の厚さだけ薄い寸法となっている。このため、液晶セル１０、拭き取りシート４９０および押入板薄板部４３２は互いに密着し、拭き取りシート４９０が余分な液晶を吸着し易くなっている。なお、拭き取りシート４９０が比較的変形（圧縮）し易い部材の場合には、ｔ１は前記の値よりも若干大きく、即ち押入板薄板部間隔４３４を若干狭く設定すれば、余分な液晶の吸着性を一層高めることが出来る。
【００２９】
なお、図５において、拭き取りシート４９０の左方の端（図では省略されている）は固定されており、右方の端は自由端となっている。そして、押入板４３０は左側から順に押し入れられるため、押入板４３０が一枚押し入れられる度にその右側の拭き取りシート４９０は少し（拭き取りシート４９０が液晶セル１０の透明基板面に当接している分）左方に移動する。その際の抵抗は、全ての液晶セル間隙間１１に一度に押入板４３０を押し入れる場合に比べて格段に小さい。従って押入板４３０の押入力を小さく設定することが出来、液晶セル１０および拭き取りシート４９０の損傷を防止することができる。また、拭き取りシート４９０は、液晶セル１０の下部を包み込むようにして密着するため、付着した液晶を確実に拭き取ることができるようになっている。
【００３０】
図６は、押入カム４４０の押し上げ機構の説明図である。図６（イ）は、押入板４３０を押し上げる前、（ロ）は押し上げ中、（ハ）は押し上げ後の状態を示す。図６（イ）では、押入カム面４４２が、押入板４３０の直下に入り込んでいる。押入板４３０の下端は、押入カム４４０の中心軸から高さＬ１の位置にある。その後、押入カム４４０が図中Ｂ方向に回転しながら前進（図６の手前方向）すると、押入カム当接部４４４が押入板４３０に当接する。更に押入カム４４０が回転すると押入カム当接部４４４の位置が高くなり、図６（ロ）の状態となる。図６（ロ）では、押入カム４４０の回転に伴い、押入カム当接部４４４が上方に移動し、押入板４３０を押し上げている。図６（ハ）では、更に押入カム４４０が回転し、押入カム当接部４４４が押入板４３０の下端を離れた状態を示す。押入板４３０の下端は、直動部材４６０の外周面に当接しており、その高さはＬ１より大きなＬ２となっている。こうして押入板４３０は、図６（イ）の状態からＬ２−Ｌ１だけ上方に移動する。その後、押入カム４４０は回転しながら前進するが、押入カム４４０の前進ピッチが押入板４３０下部の板厚ｔ２と等しくなるよう調整されているので、押入カム面４４２が次の押入板４３０にさしかかる際には、再び図６（イ）の状態になっている。
【００３１】
図７は、押入カム４４０の変形例として押入カム４４０’を示す斜視図である。押入カム４４０’は、押入板４３０を押し上げる面として、円錐台状の斜面を有している。押入カム４４０’の、矢印Ｂ方向の回転および矢印Ｃ方向への前進により、押入板４３０は押入カム４４０’の斜面を登るように上方に押し上げられる。押入カム４４０’では、その回転が必須の要件ではないが、回転させることにより、押入板４３０と押入カム４４０との摩擦力が低減され、円滑な作動を得ることができるとともに、斜面の傾斜角を比較的大きくすることができるので、小型のカム形状とすることができる。
【００３２】
また別の変形例として、押入板４３０と、その押入手段（押入カム４４０、直動部材４６０、駆動モータ４７０等を含む一連の機構）を可動台に設置し、その可動台を液晶セル１０の長手方向（図１の前後方向）に移動させる駆動手段を設けたものとしても良い。そして、全ての押入板４３０を液晶セル間隙間１１に押入した後、その可動台を液晶セル１０の長手方向に移動させることにより、押し入れられた押入板４３０および拭き取りシート４９０が液晶セル１０の長手方向に移動して拭き取るようにしても良い。その際は、拭き取りシート４９０および押入板４３０の幅は、液晶セル１０の長手方向長さより短くしても良い。
【００３３】
以上、液晶セル拭き取り装置４００の構造、作用を説明したが、液晶セル１０は、必ずしもカセット５０のような搬送治具に収納されたものである必要はなく、所定の間隔をもって略平行に配列するようにして保持するものであれば良い。また、押入板４３０は、必ずしもｔ１、ｔ２の厚みを有する板であって、ｔ２の部分で隣接するように配列したものとする必要はない。例えば、厚さｔ１の板をｔ２−ｔ１の間隔で配列したものであっても良い。
【００３４】
押入板４３０を、液晶セル１０の間隙に順次押し入れる手段として、必ずしも押入カム４４０を用いる必要はなく、他の適当な機構、例えば各押入板４３０に移動手段を設け、それらを順次作動させてゆくようなものとしても良い。
【００３５】
押入カム４４０の形状は、その前進によって押入板４３０を順次液晶セル１０の方向に移動させ得るものであれば、前記２種類の形状以外のものであっても良い。また、押入カム４４０を回転させない場合には、直動部材軸４６２に押入カム４４０を挿通し、押入カム軸４５２を省略しても良い。
【００３６】
直動部材４６０は、ねじ送り機構を有するものに限定されず、直動部材軸４６２状を、直線運動し得るものであれば良く、例えばボールねじ機構等としても良い。
【００３７】
各軸の回転手段は、必ずしも駆動モータ４７０による必要はない。他の適当な動力を用いても良く、ハンドルを設けて手回し式としても良い。
【００３８】
拭き取りシート４９０は、材質を限定するものではなく、液晶を吸着するものであれば、紙、布、樹脂等適宜選択して良い。また、拭き取りシート４９０は、平面状に分離されたものに限定するものではなく、リールに巻き取られたロール状のものであっても良い。その際の拭き取りシート４９０の固定端は、固定端となる方のリールの回転を規制することにより固定するものであっても良い。
【００３９】
【発明の効果】
以上説明したことから明らかなように、本発明の液晶セル拭き取り方法は、一対の透明基板をスペーサを介して対向させ、両透明基板の外周縁部にシールが施されている多数枚の液晶セルを並べて配置し、各液晶セルの外周縁部の一部に設けられた開口部から液晶を注入した後、該開口部周辺に付着した液晶を拭き取りシートで拭き取る液晶セルの液晶拭き取り方法であって、所定の間隔を持って略平行に配列された多数枚の液晶セルに対し、各液晶セル間隙内に挿入し得る拭き取りシートを位置決めし、前記各液晶セルの間隙に、前記各拭き取りシートを順次挿入して行き、少なくとも前記開口部周辺にその拭き取りシートを密着させ、前記液晶セルに付着した前記拭き取りシートを該液晶セルから離脱させることを特徴とする。また、本発明の液晶セル拭き取り装置は、一対の透明基板をスペーサを介して対向させ、両透明基板の外周縁部をシールして形成される液晶セル内に、前記外周縁部の一部に設けられた開口部から液晶を注入した後、該開口部周辺に付着した液晶を拭き取りシートで拭き取る液晶セルの液晶拭き取り装置であって、所定の間隔を持って略平行に配列された多数枚の押入板と、前記各押入板の間隙と多数枚の前記液晶セルとが、前記拭き取りシートを挟んで対向するように前記液晶セルを保持する液晶セルの保持手段と、前記各液晶セルの間隙に、前記各押入板を前記拭き取りシートとともに所定深さまで順次押し入れる押入手段とを有することを特徴とする。
【００４０】
従って、これらの方法、或いは装置を用いることにより、多数の液晶セルに付着した余分な液晶を、速やかに一括して拭き取ることができ、作業効率を向上させることができる。
【図面の簡単な説明】
【図１】本発明の一実施形態にかかる液晶セル拭き取り装置の正面図である。
【図２】本発明の一実施形態にかかる液晶セルの正面図である。
【図３】本発明の一実施形態にかかる搬送治具の一部切り欠きを有する斜視図である。
【図４】本発明の一実施形態にかかる押入カムの斜視図である。
【図５】本発明の一実施形態にかかる押入板の断面図である。
【図６】本発明の一実施形態にかかる押入カムの動作を示す説明図である。
【図７】本発明の一実施形態にかかる押入カムの斜視図である。
【符号の説明】
１０　液晶セル
１１　液晶セル間隙間
１８　開口部
１９　液晶付着部
５０　カセット
５２　カセット外枠
４００　液晶セル拭き取り装置
４０１　拭き取り装置本体
４１０　液晶固定台
４２６　液晶セル押え
４３０　押入板
４３２　押入板薄板部
４３４　押入板薄板部間隔
４４０、４４０’　押入カム
４４２　押入カム面
４４４　押入カム当接部
４５２　押入カム軸
４５４　カム軸プーリ
４６０　直動部材
４６２　直動部材軸
４６４　直動部材軸プーリ
４７０　駆動モータ
４７４　モータ軸プーリ
４８０　駆動ベルト
４９０　拭き取りシート
【図１】
2004020967.tif 000003
【図２】
2004020967.tif 000004
【図３】
2004020967.tif 000005
【図４】
2004020967.tif 000006
【図５】
2004020967.tif 000007
【図６】
2004020967.tif 000008
【図７】
2004020967.tif 000009